(57)【要約】【課題】プレキャストコンクリートによる建物の躯体の施工の手順をより単純化する。【解決手段】躯体は、プレキャストコンクリート壁柱及びプレキャストコンクリート壁梁を有する。プレキャストコンクリート壁柱の端部には接合金具が固定されている。プレキャストコンクリート壁梁の端部には接合金具が固定されている。建物の躯体の各階の柱梁架構は、プレキャストコンクリート壁柱及びプレキャストコンクリート壁梁の接合金具を嵌合させて嵌合部分にボルトを螺号したものにより構成される。【選択図】図１
2015232240.tif 000002
【特許請求の範囲】
【請求項１】
プレキャストコンクリート壁柱及びプレキャストコンクリート壁梁を含む複数種類のプレキャストセグメントからなる壁式構造のプレキャストコンクリート戸建住宅の躯体であって、
前記プレキャストコンクリート壁柱の端部と前記プレキャストコンクリート壁梁の端部との間に接合金具を介在させ、前記プレキャストコンクリート壁柱及び前記プレキャストコンクリート壁梁と前記接合金具との嵌合部分にボルトを螺合したものにより柱梁架構が構成されていることを特徴とする壁式構造のプレキャストコンクリート戸建住宅の躯体。
【請求項２】
前記接合金具は、同じ高さと幅を有する２つの平板部をＬ字状に交差させたものであり、
前記プレキャストコンクリート壁柱の上端部及び下端部には、前記接合金具の厚さと同じ幅を有するＬ字状の溝が設けられており、
前記プレキャストコンクリート壁梁の一端部及び他端部には、前記接合金具の厚さと同じ幅を有する一直線状の溝が設けられており、
各階の柱梁架構について、当該柱梁架構における前記プレキャストコンクリート壁柱の上端部の溝に接合金具が嵌め込まれ、当該接合金具における溝の上部に露出した部分に２つの前記プレキャストコンクリート壁梁がＬ字をなすようにして嵌め込まれ、当該接合金具における２つの前記プレキャストコンクリート壁梁がＬ字をなすようにして嵌め込まれた部分の上部に露出した部分が上階の柱梁架構における前記プレキャストコンクリート壁梁の下端部の溝に嵌め込まれるように構成されている
ことを特徴とする請求項１に記載の壁式構造のプレキャストコンクリート戸建住宅の躯体。
【請求項３】
前記プレキャストコンクリート壁梁の一端側及び他端側の端面は、厚み方向に対向する内面及び外面のうち内面と１３５度の角度で交わり且つ外面と４５度の角度で交わるテーパ面をなしており、当該接合金具における溝の上部に露出した部分において２つの前記プレキャストコンクリート壁梁の前記端面同士が当接するように構成されていることを特徴とする請求項２に記載の壁式構造のプレキャストコンクリート戸建住宅の躯体。
【請求項４】
前記複数種類のプレキャストセグメントは、矩形板状のプレキャストコンクリート壁を含み、
前記各階の柱梁架構における２つの前記プレキャストコンクリート壁柱及び２つの前記プレキャストコンクリート壁梁からなる矩形枠内に、水平方向に並べた複数個の前記プレキャストコンクリート壁が嵌め込まれている
ことを特徴とする請求項３に記載の壁式構造のプレキャストコンクリート戸建住宅の躯体。
【発明の詳細な説明】
【技術分野】
【０００１】
この発明は、壁式構造のプレキャストコンクリート建物の施工の手順を簡略化する技術に関する。
【背景技術】
【０００２】
建物の躯体の施工方法の一つにプレキャストコンクリートがある。プレキャストコンクリートは、建物の基礎を形作る柱や梁を工場などで予め製造し、それらを工場から建設現場に搬送して現場で組み立てる工法である。プレキャストコンクリートは、現場打ち工法（建設現場において型枠を設置し、コンクリートを打設して基礎を作る工法）よりも短い工期で均一な施工を行うことができる。このため、プレキャストコンクリートは、集合住宅などの建物の躯体に好適な施工方法として広く普及している。プレキャストコンクリートに関わる技術を開示した文献として、特許文献１がある。この文献１に開示されたプレキャスト壁式鉄筋コンクリート造の壁接合構造は、下階床スラブ上に並べて設置される複数個のプレキャスト壁の突合せ端に切欠きを設け、隣接するプレキャスト壁やプレキャスト壁と床スラブの突合せ端同士を嵌合させ、嵌合部分にモルタル或いはコンクリートを吹き付けて一体化するものである。
【先行技術文献】
【特許文献】
【０００３】
【特許文献１】特開平０７−２１７０２０号公報
【発明の概要】
【発明が解決しようとする課題】
【０００４】
ところで、この種の躯体では、水平方向に隣り合う２つのプレキャストコンクリート壁梁間に鉛直方向の孔が穿設された柱梁接合部を介挿し、柱梁接合部の孔内にプレキャストコンクリート壁柱の上端部の主筋を挿入し、その状態で柱梁接合部を型枠で囲んでコンクリートを打設することにより柱と梁を剛接合する工法が主流となっている。しかしながら、この工法は、柱梁接合部への型枠の設置やコンクリートの打設に手間がかかり工期を短縮し難いという問題がある。また、柱と梁をコンクリートを使って接合するため、接合部分の強度の発現に時間がかかり、次の工程に直ぐに進めないという問題がある。
【０００５】
本発明は、このような課題に鑑みてなされたものであり、プレキャストコンクリートによる建物の躯体の施工の手順をより単純化し得る技術的手段を提供することを目的とする。
【課題を解決するための手段】
【０００６】
上記課題を解決するため、本発明の好適な態様である躯体は、プレキャストコンクリート壁柱及びプレキャストコンクリート壁梁を含む複数種類のプレキャストセグメントからなる戸建住宅の躯体であって、前記プレキャストコンクリート壁柱の端部と前記プレキャストコンクリート壁梁の端部との間に接合金具を介在させ、前記プレキャストコンクリート壁柱及び前記プレキャストコンクリート壁梁と前記接合金具との嵌合部分にボルトを螺合したものにより柱梁架構が構成されていることを特徴とする。
【０００７】
本発明では、プレキャストコンクリート壁柱の端部とプレキャストコンクリート壁梁の端部との間に接合金具を介在させ、プレキャストコンクリート壁柱及びプレキャストコンクリート壁梁と接合金具との嵌合部分にボルトを螺合したものにより柱梁架構が構成されている。よって、本発明によると、現場でのコンクリートの打設を一切行わずに柱梁架構を作ることができる。従って、本発明によると、プレキャストコンクリートの施工手順をより単純化し、工期を短くすることができる。
【図面の簡単な説明】
【０００８】
【図１】本発明の一実施形態である建物の躯体の斜視図である。
【図２】図１の躯体をなすプレキャストコンクリート壁柱を斜め上前方から見た図である。
【図３】図１の躯体をなすプレキャストコンクリート壁柱を斜め下後方から見た図である。
【図４】図２のプレキャストコンクリート壁柱の金属枠を図２と同じ角度から見た図である。
【図５】図１の躯体をなすプレキャストコンクリート壁梁を斜め上前方から見た図である。
【図６】図１の躯体をなすプレキャストコンクリート壁梁を斜め下後方から見た図である。
【図７】図６のプレキャストコンクリート壁梁の金属枠を図６と同じ角度から見た図である。
【図８】図１の躯体をなすプレキャストコンクリート壁を斜め下前方から見た図である。
【図９】図１の躯体をなすプレキャストコンクリート壁を斜め上後方から見た図である。
【図１０】図９のプレキャストコンクリート壁の金属枠を図２と同じ角度から見た図である。
【図１１】図１の躯体をなす接続金具の斜視図である。
【図１２】図１の躯体におけるプレキャストコンクリート壁柱、プレキャストコンクリート壁梁、及び接続金具の連結の様子を示す図である。
【図１３】図１の躯体の施工の手順を示す図である。
【図１４】図１の躯体の施工の手順を示す図である。
【図１５】図１の躯体の施工の手順を示す図である。
【図１６】図１の躯体の施工の手順を示す図である。
【図１７】図１の躯体の施工の手順を示す図である。
【図１８】図１の躯体の施工の手順を示す図である。
【図１９】図１の躯体の施工の手順を示す図である。
【図２０】図１の躯体の施工の手順を示す図である。
【図２１】図１の躯体の施工の手順を示す図である。
【図２２】図１の躯体の施工の手順を示す図である。
【図２３】図１の躯体の施工の手順を示す図である。
【発明を実施するための形態】
【０００９】
以下、図面を参照しつつ本発明の実施形態について説明する。図１は、本発明の一実施形態である建物の躯体８０の斜視図である。この躯体８０は、２階建ての戸建住宅のものである。この躯体８０は、プレキャストコンクリート壁柱ＰＣＰ、プレキャストコンクリート壁梁ＰＣＪ、及びプレキャストコンクリート壁ＰＣＷの３種類のプレキャストセグメントからなる。この躯体８０では、プレキャストコンクリート壁柱ＰＣＰの端部とプレキャストコンクリート壁梁ＰＣＪの端部との間に接続金具ＣＮ１（図１１）を介在させ、プレキャストコンクリート壁柱ＰＣＰ及びプレキャストコンクリート壁梁ＰＣＪと接続金具ＣＮ１との嵌合部分にボルトＢを螺号したものにより１階及び２階の柱梁架構８１−ｉ（ｉ＝１、２）が構成される。
【００１０】
図２は、プレキャストコンクリート壁柱ＰＣＰを斜め上前方から見た図である。図３は、プレキャストコンクリート壁柱ＰＣＰを斜め下後方から見た図である。プレキャストコンクリート壁柱ＰＣＰは、柱本体の外殻と同形状の型枠への金属枠ＦＰ（図４）の収納→型枠内へのコンクリートの打設→コンクリートの乾燥→型枠の脱型という手順により製造されるものである。
【００１１】
図４は、プレキャストコンクリート壁柱ＰＣＰの金属枠ＦＰを図２と同じ角度から見た図である。図４に示すように、金属枠ＦＰは、上下の間隔をあけて対向するＬ字面ＦＰＵ及びＦＰＤとＬ字面ＦＰＵ及びＦＰＤの端部間に介在する端面ＦＰＬ及びＦＰＲとを有する。Ｌ字面ＦＰＵ及びＦＰＤにおける幅方向の中央、並びに端面ＦＰＬ及びＦＰＲにおける幅方向の中央には内側に凹んだ溝ＣＨが設けられている。
【００１２】
金属枠ＦＰにおけるＬ字面ＦＰＵ及びＦＰＤ並びに端面ＦＰＬ及びＦＰＲの内側には溝ＣＨを包囲する内板部ＦＰＩがある。金属枠ＦＰの内板部ＦＰＩには２２個の筒部２２１Ｌ−ｉ（ｉ＝１〜１２）及び２２１Ｒ−ｉ（ｉ＝１〜１２）が設けられている。ここで、簡便のため、図４では、筒部２２１Ｌ−ｉ（ｉ＝１〜１２）及び２２１Ｒ−ｉ（ｉ＝１〜１２）における筒部２２１Ｌ−１２及び２２１Ｒ−１２以外のものの符号の図示を割愛する。
【００１３】
２２個の筒部２２１Ｌ−ｉ（ｉ＝１〜１２）及び２２１Ｒ−ｉ（ｉ＝１〜１２）のうち筒部２２１Ｌ−１、２２１Ｌ−２、２２１Ｒ−１、２２１Ｒ−２は、内板部ＦＰＩにおけるＬ字面ＦＰＵの内側の部分を貫いている。筒部２２１Ｌ−３〜２２１Ｌ−１０は、内板部ＦＰＩにおける端面ＦＰＬの内側の部分を貫いている。筒部２２１Ｒ−３〜２２１Ｒ−１０は、内板部ＦＰＩにおける端面ＦＰＲの内側の部分を貫いている。筒部２２１Ｌ−１１、２２１Ｌ−１２、２２１Ｒ−１１、２２１Ｒ−１２は、内板部ＦＰＩにおけるＬ字面ＦＰＤの内側の部分を貫いている。筒部２２１Ｌ−ｉ（ｉ＝１〜１２）の各々におけるＬ字の外側の端部には、筒部２２１Ｌ−ｉ内の孔と連通するボルト挿入口２２１Ｌ’−ｉが設けられている。筒部２２１Ｒ−ｉ（ｉ＝１〜１２）の各々におけるＬ字の外側の端部には、筒部２２１Ｒ−ｉ内の孔と連通するボルト挿入口２２１Ｒ’−ｉが設けられている。
【００１４】
プレキャストコンクリート壁柱ＰＣＰは、同じ高さＤ１（Ｄ１＝２５０ｃｍ）と幅Ｗ１（Ｗ１＝１２ｃｍ）を持った２つの平板部２２Ｌ及び２２Ｒを有している。平板部２２Ｌ及び２２Ｒは、高さＤ１方向から見た形がＬ字をなすように交差している。平板部２２Ｌの内面２２０ＬＩ（Ｌ字の内側を向いた面）と平板部２２Ｒの内面２２０ＲＩ（Ｌ字の内側を向いた面）は直交している。平板部２２Ｌの外面２２０ＬＯ（Ｌ字の外側を向いた面）と平板部２２Ｒの外面２２０ＲＯ（Ｌ字の外側を向いた面）は直交している。プレキャストコンクリート壁柱ＰＣＰ内の金属枠ＦＰのＬ字面ＦＰＵ及びＦＰＤの左側の部分と端面ＦＰＬは、プレキャストコンクリート壁柱ＰＣＰの内面２２０ＬＩ及び外面２２０ＬＯの間から外部に露出している。プレキャストコンクリート壁柱ＰＣＰ内の金属枠ＦＰのＬ字面ＦＰＵ及びＦＰＤの右側の部分と端面ＦＰＲは、プレキャストコンクリート壁柱ＰＣＰの内面２２０ＲＩ及び外面２２０ＲＯの間から外部に露出している。また、図３に示すように、プレキャストコンクリート壁柱ＰＣＰ内の金属枠ＦＰの２２個のボルト挿入口２２１Ｌ’−ｉ（ｉ＝１〜１２）及び２２１Ｒ’−ｉ（ｉ＝１〜１２）は、プレキャストコンクリート壁柱ＰＣＰの外面２２０ＬＯ及び２２０ＲＯから外部に露出している。
【００１５】
図５は、プレキャストコンクリート壁梁ＰＣＪを斜め上前方から見た図である。図６は、プレキャストコンクリート壁梁ＰＣＪを斜め下後方から見た図である。プレキャストコンクリート壁梁ＰＣＪは、梁本体の外殻と同形状の型枠への金属枠ＦＪ（図７）の収納→型枠内へのコンクリートの打設→コンクリートの乾燥→型枠の脱型という手順により製造されるものである。
【００１６】
図７は、プレキャストコンクリート壁梁ＰＣＪの金属枠ＦＪを図６と同じ角度から見た図である。金属枠ＦＪは、上下の間隔をあけて対向する台形面ＦＪＵ及びＦＪＤと、台形面ＦＪＵ及びＦＪＤの端部間に介在する端面ＦＪＬ及びＦＪＲとを有する。台形面ＦＪＵ及びＦＪＤにおける幅方向の中央並びに端面ＦＪＬ及びＦＪＲにおける幅方向の中央には内側に凹んだ溝ＣＨが設けられている。
【００１７】
金属枠ＦＪにおける台形面ＦＪＵ及びＦＪＤ並びに端面ＦＪＬ及びＦＪＲの内側には溝ＣＨを包囲する内板部ＦＪＩがある。金属枠ＦＪの内板部ＦＪＩには４４個の筒部３１２Ｌ−ｊ（ｊ＝１〜４）、３２１Ｒ−ｊ（ｊ＝１〜４）、３２１Ｕ−ｍ（ｍ＝１〜１８）、３２１Ｄ−ｍ（ｍ＝１〜１８）が設けられている。ここで、簡便のため、図７では、筒部３１２Ｌ−ｊ（ｊ＝１〜４）、３２１Ｒ−ｊ（ｊ＝１〜４）、３２１Ｕ−ｍ（ｍ＝１〜１８）、３２１Ｄ−ｍ（ｍ＝１〜１８）のうち筒部３２１Ｌ−１及び３２１Ｌ−２以外のものの符号の図示を割愛する。
【００１８】
４４個の筒部３１２Ｌ−ｊ（ｊ＝１〜４）、３２１Ｒ−ｊ（ｊ＝１〜４）、３２１Ｕ−ｍ（ｍ＝１〜１８）、３２１Ｄ−ｍ（ｍ＝１〜１８）のうち筒部３１２Ｌ−ｊ（ｊ＝１〜４）は、内板部ＦＪＩにおける端面ＦＪＬの内側の部分を貫いている。筒部３２１Ｒ−ｊ（ｊ＝１〜４）は、内板部ＦＪＩにおける端面ＦＪＲの内側の部分を貫いている。筒部３２１Ｕ−ｍ（ｍ＝１〜１８）は、内板部ＦＪＩにおける台形面ＦＪＵの内側の部分を貫いている。筒部３２１Ｄ−ｍ（ｍ＝１〜１８）は、内板部ＦＪＩにおける台形面ＦＪＤの内側の部分を貫いている。
【００１９】
筒部３１２Ｌ−ｊ（ｊ＝１〜４）の各々における台形面ＦＪＵ及びＦＪＤの下底側の端部には筒部３１２Ｌ−ｊ内の孔と連通するボルト挿入口３１２Ｌ’−ｊがある。筒部３１２Ｒ−ｊ（ｊ＝１〜４）の各々における台形面ＦＪＵ及びＦＪＤの下底側の端部には筒部３１２Ｒ−ｊ内の孔と連通するボルト挿入口３１２Ｒ’−ｊがある。
【００２０】
筒部３２１Ｕ−ｍ（ｍ＝１〜１８）の各々における台形面ＦＪＵ及びＦＪＤの下底側の端部には筒部３２１Ｕ−ｍ内の孔と連通するボルト挿入口３２１Ｕ’−ｍがある。筒部３２１Ｄ−ｍ（ｍ＝１〜１８）の各々における台形面ＦＪＵ及びＦＪＤの下底側の端部には筒部３２１Ｄ−ｍ内の孔と連通するボルト挿入口３２１Ｄ’−ｍがある。
【００２１】
プレキャストコンクリート壁梁ＰＣＪは、長さＤ２（Ｄ２＝５００ｃｍ）、厚みＷ２（Ｗ２＝１０ｃｍ）、及び幅２（Ｔ２＝３０ｃｍ）の寸法を有している。プレキャストコンクリート壁梁ＰＣＪ内の金属枠ＦＪの台形面ＦＪＵ及びＦＪＤ並びに端面ＦＪＬ及びＦＪＲは、プレキャストコンクリート壁梁ＰＣＪの内面ＦＪＩ及び外面ＦＪＯの間から外部に露出している。
【００２２】
図５に示すように、プレキャストコンクリート壁梁ＰＣＪには筒部３２２−ｋ（ｋ＝１〜１８）が埋設されている。これらの筒部３２２−ｋ（ｋ＝１〜１８）の端部はプレキャストコンクリート壁梁ＰＣＪの内面ＦＪＩから外部に露出している。図６に示すように、プレキャストコンクリート壁梁ＰＣＪの金属枠ＦＪの４４個のボルト挿入口３１２Ｌ’−ｊ（ｊ＝１〜４）、３２１Ｒ’−ｊ（ｊ＝１〜４）、３２１Ｕ’−ｍ（ｍ＝１〜１８）、３２１Ｄ’−ｍ（ｍ＝１〜１８）は、プレキャストコンクリート壁梁ＰＣＪの外面ＦＪＯから外部に露出している。また、プレキャストコンクリート壁梁ＰＣＪの外面ＦＪＯと金属枠ＦＪの端面ＦＪＬ及びＦＪＲは４５度の角度で交わっている。プレキャストコンクリート壁梁ＰＣＪの内面ＦＪＩと金属枠ＦＪの端面ＦＪＬ及びＦＪＲは１３５度の角度で交わっている。
【００２３】
図８は、プレキャストコンクリート壁ＰＣＷを斜め下前方から見た図である。図９は、プレキャストコンクリート壁ＰＣＷを斜め上後方から見た図である。プレキャストコンクリート壁ＰＣＷは、壁本体の外殻と同形状の型枠への金属枠ＦＷ（図１０）の収納→型枠内へのコンクリートの打設→コンクリートの乾燥→型枠の脱型という手順により製造されるものである。
【００２４】
図１０は、プレキャストコンクリート壁ＰＣＷの金属枠ＦＷを図９と同じ角度から見た図である。図１０に示すように、金属枠ＦＷは、矩形状をなしている。金属枠ＦＷは、上下の間隔をあけて対向する端面ＦＷＵ及びＦＷＤと、左右の間隔をあけて対向する端面ＦＷＬ及びＦＷＲとを有する。端面ＦＷＬ及びＦＷＲにおける幅方向の中央には内側に凹んだ溝ＣＨが設けられている。
【００２５】
プレキャストコンクリート壁ＰＣＷは、横幅Ｄ３（Ｄ３＝４８０ｃｍ）、厚みＷ３（Ｗ３＝Ｗ２＝１０ｃｍ）、及び縦幅Ｔ３（Ｔ３＝３０ｃｍ）の寸法を有している。金属枠ＦＷにおける端面ＦＷＵ、ＦＷＤ、ＦＷＬ、及びＦＷＲの内側には溝ＣＨを包囲する内板部ＦＷＩがある。金属枠ＦＷの内板部ＦＷＩには２６個の筒部４２１−ｎ（ｎ＝１〜２６）が設けられている。２６個の筒部４２１−ｎ（ｎ＝１〜２６）のうち筒部４２１−１〜４２１−５は、内板部ＦＷＩにおける端面ＦＷＵの内側の部分を貫いている。筒部４２１−６〜４２１−１３は、内板部ＦＷＩにおける端面ＦＷＲの内側の部分を貫いている。筒部４２１−１４〜４２１−１８は、内板部ＦＷＩにおける端面ＦＷＤの内側の部分を貫いている。筒部４２１−１９〜４２１−２６は、内板部ＦＷＩにおける端面ＦＷＲの内側の部分を貫いている。筒部４２１−ｎ（ｎ＝１〜２６）の各々の一端側には、筒部４２１−ｎ内の孔と連通するボルト挿入口４２１’−ｎがある。
【００２６】
図１１は、接続金具ＣＮ１の斜視図である。接続金具ＣＮ１は、一枚の金属板を幅方向の中心線を稜線としてＬ字状に屈曲させたものである。接続金具ＣＮ１は、同じ高さＤ４（Ｄ４＝４０ｃｍ）及び幅Ｗ４（Ｗ４＝３ｃｍ）を持った２つの平板部５２Ｌ及び５２Ｒを有している。平板部５２Ｌ及び５２Ｒは、高さＤ４方向から見た形がＬ字をなすように交差している。接続金具ＣＮ１の厚みＴ４は金属枠ＦＰ、ＦＪ、ＦＷの溝ＣＨの厚みと同じである。接続金具ＣＮ１の高さＤ４は、プレキャストコンクリート壁梁ＰＣＪの幅よりも僅かに大きくなっている。
【００２７】
接続金具ＣＮ１の平板部５２Ｌには平板部５２Ｌの表裏面間を貫く８つの孔５２１Ｌ−ｐ（ｐ＝１〜８）が穿設されている。接続金具ＣＮ１の平板部５２Ｒには平板部５２Ｒの表裏面間を貫く８つの孔５２１Ｒ−ｐ（ｐ＝１〜８）が穿設されている。平板部５２Ｌの孔５２１Ｌ−ｐ（ｐ＝１〜８）は、孔５２１Ｌ−１と孔５２１Ｌ−２、孔５２１Ｌ−３と孔５２１Ｌ−４、孔５２１Ｌ−５と孔５２１Ｌ−６、及び孔５２１Ｌ−７と孔５２１Ｌ−８の４つの列をなしている。平板部５２Ｒの孔５２１Ｒ−ｐ（ｐ＝１〜８）は、孔５２１Ｒ−１と孔５２１Ｒ−２、孔５２１Ｒ−３と孔５２１Ｒ−４、孔５２１Ｒ−５と孔５２１Ｒ−６、及び孔５２１Ｒ−７と孔５２１Ｒ−８の４つの列をなしている。
【００２８】
以上が、プレキャストコンクリート壁柱ＰＣＰ、プレキャストコンクリート壁梁ＰＣＪ、プレキャストコンクリート壁ＰＣＷ、及び接続金具ＣＮ１の構成の詳細である。ここで、本実施形態におけるプレキャストコンクリート壁柱ＰＣＰの筒部２２１Ｌ−１及び２２１Ｌ−２（筒部２２１Ｌ−１１及び２２１Ｌ−１２）の間隔は接続金具ＣＮ１の孔５２１Ｌ−１及び５２１Ｌ−２（孔５２１Ｌ−７及び５２１Ｌ−８）の間隔と同じになっている。また。プレキャストコンクリート壁柱ＰＣＰの筒部２２１Ｒ−１及び２２１Ｒ−２（筒部２２１Ｒ−１１及び２２１Ｒ−１２）の間隔は接続金具ＣＮ１の孔５２１Ｒ−１及び５２１Ｒ−２（孔５２１Ｒ−７及び５２１Ｒ−８）の間隔と同じになっている。
【００２９】
また、プレキャストコンクリート壁梁ＰＣＪの筒部３２１Ｌ−１及び３２１Ｌ−４（筒部３２１Ｌ−２及び３２１Ｌ−３）の間隔は接続金具ＣＮ１の孔５２１Ｌ−３及び５２１Ｌ−５（筒部５２１Ｌ−４及び５２１Ｌ−６）の間隔と同じである。また、プレキャストコンクリート壁梁ＰＣＪの筒部３２１Ｒ−１及び３２１Ｒ−４（筒部３２１Ｒ−２及び３２１Ｒ−３）の間隔は接続金具ＣＮ１の孔５２１Ｒ−３及び５２１Ｒ−５（筒部５２１Ｒ−４及び５２１Ｒ−６）の間隔と同じである。
【００３０】
また、プレキャストコンクリート壁梁ＰＣＪの筒部３２１Ｌ−１及び３２１Ｌ−２（筒部３２１Ｌ−３及び３２１Ｌ−４）の間隔は接続金具ＣＮ１の孔５２１Ｌ−３及び５２１Ｌ−４（筒部５２１Ｌ−５及び５２１Ｌ−６）の間隔と同じである。また、プレキャストコンクリート壁梁ＰＣＪの筒部３２１Ｒ−１及び３２１Ｒ−２（筒部３２１Ｒ−３及び３２１Ｒ−４）の間隔は接続金具ＣＮ１の孔５２１Ｒ−３及び５２１Ｒ−４（筒部５２１Ｒ−５及び５２１Ｒ−６）の間隔と同じである。
【００３１】
このため、図１２に示すように、本実施形態では、上下２つのプレキャストコンクリート壁柱ＰＣＰの端部と左右２つのプレキャストコンクリート壁梁ＰＣＪの端部の間に接続金具ＣＮ１を介在させ、プレキャストコンクリート壁柱ＰＣＰ及びプレキャストコンクリート壁梁ＰＣＪと接続金具ＣＮ１との嵌合部分にボルトＢを螺合したものにより柱梁架構８１−ｉが構成される。
【００３２】
本実施形態では、建物の躯体８０の施工を以下の手順で行う。まず、図１３に示すように、べた基礎上において各々の外面３２０Ｏ（ボルト挿入口がある側の面）を外側に向けた４つのプレキャストコンクリート壁梁ＰＣＪを格子状に連結し、隣接するプレキャストコンクリートの各連結部分上に１階の柱梁架構８１−ｉをなす４本のプレキャストコンクリート壁柱ＰＣＰを立てる。
【００３３】
次に、図１４及び図１５に示すように、プレキャストコンクリート壁柱ＰＣＰの上端のＬ字面ＦＰＵの溝ＣＨに接続金具ＣＮ１を挿入し、プレキャストコンクリート壁柱ＰＣＰのボルト挿入口２２１Ｌ’−１、２２１Ｌ’−２、２２１Ｒ’−１、２２１Ｒ’−２と溝ＣＨ内の接続金具ＣＮ１の孔５２１Ｌ−７、５２１Ｌ−８．５２１Ｒ−７，５２１Ｒ−８にボルトＢ（図１４及び図１５において図示略）を螺合する。また、プレキャストコンクリート壁柱ＰＣＰの端面ＦＰＲの溝ＣＨに接続金具ＣＮ２（より具体的には、溝ＣＨと略同じ厚さの長尺の金属板の幅方向の中心線の両側にボルト挿入口２２１Ｒ’−３〜２２１Ｒ’−１０と同じ間隔をあけた８個の孔を穿設した接続金具ＣＮ２）を挿入し、プレキャストコンクリート壁柱ＰＣＰのボルト挿入口２２１Ｒ’−３〜２２１Ｒ’−１０と溝ＣＨ内の金属板ＣＮ２の孔にボルトＢ（図１４及び図１５において図示略）を螺合する。
【００３４】
次に、図１６に示すように、プレキャストコンクリート壁柱ＰＣＰの溝ＣＨに接続金具ＣＮ３（より具体的には、溝ＣＨと略同じ幅の長尺の金属板の幅方向の中心の両側にボルト挿入口４２１’−１４〜４２１’−１８と同じ間隔をあけた５個の孔を穿設した接続金具ＣＮ３）を挿入し、プレキャストコンクリート壁柱ＰＣＰのボルト挿入口４２１’−１４〜４２１’−１８と溝ＣＨ内の接続金具ＣＮ３の孔にボルトＢ（図１６において図示略）を螺合する。その上で、プレキャストコンクリート壁ＰＣＷをその溝ＣＨ内にプレキャストコンクリート壁梁ＰＣＪ上の接続金具ＣＮ２における溝ＣＨの上に露出した部分を嵌め込むようにしてプレキャストコンクリート壁梁ＰＣＪ上に載せる。
【００３５】
次に、図１７に示すように、プレキャストコンクリート壁梁ＰＣＪ上のプレキャストコンクリート壁ＰＣＷをプレキャストコンクリート壁柱ＰＣＰに向かってスライドさせ、プレキャストコンクリート壁柱ＰＣＰ内の接続金具ＣＮ２における溝ＣＨの外に露出した部分をプレキャストコンクリート壁ＰＣＷの溝ＣＨに嵌め込み、プレキャストコンクリート壁ＰＣＷのボルト挿入口４２１−１９〜４２１−２５と溝ＣＨ内の接続金具ＣＮ２の孔にボルトＢ（図１７において図示略）を螺合する。その後、同じ手順で、４つのプレキャストコンクリート壁梁ＰＣＪ上におけるプレキャストコンクリート間に５枚のプレキャストコンクリート壁ＰＣＷを一枚壁状に配置する。これにより、躯体８０における１階の柱梁架構８１−ｉが完成する。
【００３６】
次に、図１８及び図１９に示すように、プレキャストコンクリート壁ＰＣＷの上側の溝ＣＨに接続金具ＣＮ３を嵌め込む。その上で、図２０に示すように、１階の柱梁架構８１−１における隣り合うプレキャストコンクリート壁柱ＰＣＰ上の接続金具ＣＮ２をプレキャストコンクリート壁梁ＰＣＪの各々の溝ＣＨ内に嵌め込み、そのままプレキャストコンクリート壁梁ＰＣＪを下にスライドさせてプレキャストコンクリート壁梁ＰＣＪの溝ＣＨにプレキャストコンクリート壁ＰＣＷ上の接続金具ＣＮ３を嵌め込み、プレキャストコンクリート壁梁ＰＣＪのボルト挿入口３２１Ｄ’−ｍ（ｍ＝１〜１８）と溝ＣＨ内の接続金具ＣＮ３の孔にボルトＢ（図２０において図示略）を螺合する。
【００３７】
次に、図２１に示すように、プレキャストコンクリート壁梁ＰＣＪの溝ＣＨにおける柱梁架構８１−１のプレキャストコンクリート壁ＰＣＷの反対側の各位置に接続金具ＣＮ３を一枚ずつ嵌め込む。その上で、図２２に示すように、１階の柱梁架構８１−ｉのプレキャストコンクリート壁柱ＰＣＰ上の接続金具ＣＮ３におけるプレキャストコンクリート壁梁ＰＣＪの接合部分の上に露出した部分に２階の柱梁架構８１−２のプレキャストコンクリート壁柱ＰＣＰを立てる。
【００３８】
次に、図２３に示すように、対向する一対のプレキャストコンクリート壁梁ＰＣＪにおける連結孔間にＴ字接続金具ＣＮ４及びボルトＢを用いて複数のプレキャストコンクリート壁梁ＰＣＪを架設する。以降は、１階の柱梁架構８１−１と同様に、プレキャストコンクリート壁柱ＰＣＰ間にプレキャストコンクリート壁ＰＣＷを５枚ずつ並べ、それらの上に接続金具ＣＮ１を介してプレキャストコンクリート壁梁ＰＣＪを設置する。これにより、２階の柱梁架構８１−２が完成する。
【００３９】
以上が、本実施形態の詳細である。本実施形態によると、次の効果が得られる。
第１に、本実施形態では、プレキャストコンクリート壁柱ＰＣＰの端部とプレキャストコンクリート壁梁ＰＣＪの端部との間に接続金具ＣＮ１を介在させ、プレキャストコンクリート壁柱ＰＣＰ及びプレキャストコンクリート壁梁ＰＣＪと接続金具ＣＮ１との嵌合部分にボルトＢを螺合したものにより柱梁架構８１−ｉが構成される。よって、本実施形態によると、現場でのコンクリートの打設を一切行わずに柱梁架構８１−ｉ（ｉ＝１、２）を作ることができる。従って、本実施形態によると、プレキャストコンクリートの施工手順をより単純化し、工期を短くすることができる。
【００４０】
第２に、本実形態では、各階の柱梁架構８１−ｉについて、当該柱梁架構８１−ｉにおけるプレキャストコンクリート壁柱ＰＣＰの上端部の溝ＣＨに接続金具ＣＮ１が嵌め込まれ、接続金具ＣＮ１における溝ＣＨの上部に露出した部分に２つのプレキャストコンクリート壁梁ＰＣＪがＬ字をなすようにして嵌め込まれ、接続金具ＣＮ１における２つのプレキャストコンクリート壁梁ＰＣＪがＬ字をなすようにして嵌め込まれた部分の上部に露出した部分が上階の柱梁架構８１−ｉにおけるプレキャストコンクリート壁梁ＰＣＪの下端部の溝ＣＨに嵌め込まれるように構成されている。よって、本実施形態によると、２階建て以上の住宅の躯体８０の柱梁架構８１−ｉの施工を柱梁の十分な接合強度を確保しつつ一層効率化できる。
【００４１】
第３に、本実施形態では、プレキャストコンクリート壁梁ＰＣＪの一端側及び他端側の端面ＦＪＬ及びＦＪＲは、厚み方向に対向する内面３２０Ｉ及び外面３２０Ｏのうち内面３２０Ｉと１３５度の角度で交わり且つ外面３２０Ｏと４５度の角度で交わるテーパ面をなしており、当該接続金具ＣＮ１における溝ＣＨの上部に露出した部分において２つのプレキャストコンクリート壁梁ＰＣＪのテーパ面同士が当接するように構成されている。よって、本実施形態によると、柱梁架構８１−ｉの水平面の縦方向に架設するプレキャストコンクリート壁梁ＰＣＪと横方向に架設するプレキャストコンクリート壁梁ＰＣＪの接続金具ＣＮ１を共通ものにすることができる。従って、本実施形態によると、工場におけるプレキャストコンクリート壁梁ＰＣＪの製造工程が単純化され、施工効率をより一層高めることができる。
【００４２】
以上、本発明の一実施形態について説明したが、かかる実施形態に以下の変形を加えてもよい。
（１）上記実施形態は、本発明を２階建ての戸建住宅の躯体８０の施工に適用したものであった。しかし、１階建てや３階建て以上の住宅の躯体８０の施工に本発明を適用してもよい。
【００４３】
（２）上記実施形態では、プレキャストコンクリート壁柱ＰＣＰ、プレキャストコンクリート壁梁ＰＣＪ、及びプレキャストコンクリート壁ＰＣＷにより住宅基礎の柱梁架構８１−ｉを構成した。しかし、プレキャストコンクリート壁柱ＰＣＰとプレキャストコンクリート壁梁ＰＣＪのみにより住宅基礎の柱梁架構８１−ｉを構築してもよい。
【符号の説明】
【００４４】
ＰＣＰ…プレキャストコンクリート壁柱、ＰＣＪ…プレキャストコンクリート壁梁、ＰＣＷ…プレキャストコンクリート壁、８１…建物架構、８０…躯体、ＦＰ、ＦＪ、ＦＷ…金属枠、３９…Ｌ字状凹部。
【図１】
2015232240.tif 000003
【図２】
2015232240.tif 000004
【図３】
2015232240.tif 000005
【図４】
2015232240.tif 000006
【図５】
2015232240.tif 000007
【図６】
2015232240.tif 000008
【図７】
2015232240.tif 000009
【図８】
2015232240.tif 000010
【図９】
2015232240.tif 000011
【図１０】
2015232240.tif 000012
【図１１】
2015232240.tif 000013
【図１２】
2015232240.tif 000014
【図１３】
2015232240.tif 000015
【図１４】
2015232240.tif 000016
【図１５】
2015232240.tif 000017
【図１６】
2015232240.tif 000018
【図１７】
2015232240.tif 000019
【図１８】
2015232240.tif 000020
【図１９】
2015232240.tif 000021
【図２０】
2015232240.tif 000022
【図２１】
2015232240.tif 000023
【図２２】
2015232240.tif 000024
【図２３】
2015232240.tif 000025
【手続補正書】
【提出日】平成26年12月13日(2014.12.13)
【手続補正１】
【補正対象書類名】特許請求の範囲
【補正対象項目名】全文
【補正方法】変更
【補正の内容】
【特許請求の範囲】
【請求項１】
プレキャストコンクリート壁柱及びプレキャストコンクリート壁梁を含む複数種類のプレキャストセグメントからなる壁式構造のプレキャストコンクリート戸建住宅の躯体であって、
前記プレキャストコンクリート壁柱の端部と前記プレキャストコンクリート壁梁の端部との間に接合金具を介在させ、前記プレキャストコンクリート壁柱及び前記プレキャストコンクリート壁梁と前記接合金具との嵌合部分にボルトを螺合したものにより柱梁架構が構成されており、
前記接合金具は、同じ高さと幅を有する２つの平板部をＬ字状に交差させたものであり、
前記プレキャストコンクリート壁柱の上端部及び下端部には、前記接合金具の厚さと同じ幅を有するＬ字状の溝が設けられており、
前記プレキャストコンクリート壁梁の一端部及び他端部には、前記接合金具の厚さと同じ幅を有する一直線状の溝が設けられており、
各階の柱梁架構について、当該柱梁架構における前記プレキャストコンクリート壁柱の上端部の溝に接合金具が嵌め込まれ、当該接合金具における溝の上部に露出した部分に２つの前記プレキャストコンクリート壁梁がＬ字をなすようにして嵌め込まれ、当該接合金具における２つの前記プレキャストコンクリート壁梁がＬ字をなすようにして嵌め込まれた部分の上部に露出した部分が上階の柱梁架構における前記プレキャストコンクリート壁梁の下端部の溝に嵌め込まれるように構成されている
ことを特徴とするプレキャストコンクリート戸建住宅の躯体。
【請求項２】
前記プレキャストコンクリート壁梁の一端側及び他端側の端面は、厚み方向に対向する内面及び外面のうち内面と１３５度の角度で交わり且つ外面と４５度の角度で交わるテーパ面をなしており、当該接合金具における溝の上部に露出した部分において２つの前記プレキャストコンクリート壁梁の前記端面同士が当接するように構成されていることを特徴とする請求項１に記載の壁式構造のプレキャストコンクリート戸建住宅の躯体。
【請求項３】
前記複数種類のプレキャストセグメントは、矩形板状のプレキャストコンクリート壁を含み、
前記各階の柱梁架構における２つの前記プレキャストコンクリート壁柱及び２つの前記プレキャストコンクリート壁梁からなる矩形枠内に、水平方向に並べた複数個の前記プレキャストコンクリート壁が嵌め込まれている
ことを特徴とする請求項２に記載の壁式構造のプレキャストコンクリート戸建住宅の躯体。